(57)【要約】【課題】簡易な構成で、デッキと柱との間の隙間を塞ぐことができる支柱の設置構造その施工方法を提供すること。【解決手段】支柱２の設置構造６０は、デッキ６の貫通穴６５に貫通して配置された支柱２を備え、支柱２とデッキ６との間の隙間Ｓを塞ぐように配置され、デッキ６には固定されずに、支柱２に固定されるカバー部材７と、を備える。また、カバー部材７は、複数の分割部分７１から構成され、複数の分割部分７１は、切断可能に構成され、支柱２の外形の大きさに合わせて切断して組み合わせることでカバー部材７を作製可能である。【選択図】図６
2020084741.tif 000002
【特許請求の範囲】
【請求項１】
デッキの貫通穴に貫通して配置された支柱を備える支柱の設置構造であって、
前記支柱と前記デッキとの間の隙間を塞ぐように配置され、前記デッキには固定されずに、前記支柱に固定されるカバー部材と、を備える
支柱の設置構造。
【請求項２】
前記カバー部材は、複数の分割部分から構成され、前記複数の分割部分の一部分同士を重ね合わせて嵌合することで作製可能である
請求項１に記載の支柱の設置構造。
【請求項３】
前記カバー部材は、２つの分割部分から構成され、
前記２つの分割部分は、対称形状に形成される
請求項１又は２に記載の支柱の設置構造。
【請求項４】
前記カバー部材は、２つの分割部分から構成され、
前記２つの分割部分は、平面視でコ字状又はＬ字状に形成される
請求項１〜３のいずれかに記載の支柱の設置構造。
【請求項５】
前記カバー部材は、複数の分割部分から構成され、
前記複数の分割部分は、切断可能に構成され、前記支柱の外形の大きさに合わせて切断して組み合わせることで前記カバー部材を作製可能である
請求項１〜４のいずれかに記載の支柱の設置構造。
【請求項６】
前記分割部分を切断する部分には切断用の目印が設けられる請求項５に記載の支柱の設置構造。
【請求項７】
前記カバー部材の下面には、前記カバー部材と前記デッキとの間に配置される緩衝材が取り付けられる請求項１〜５のいずれかに記載の支柱の設置構造。
【請求項８】
請求項１〜７のいずれかに記載の支柱の設置構造の施工方法であって、
前記支柱が前記デッキの貫通穴に挿入された状態において、
前記カバー部材を前記デッキに対して位置決めする工程と、
前記デッキに対して位置決めした前記カバー部材を前記支柱に固定する工程と、を含む支柱の設置構造の施工方法。
【請求項９】
請求項８に記載の支柱の設置構造の施工方法であって、
前記位置決めする工程の前に、前記カバー部材の大きさを前記支柱の外形の大きさに合わせるために前記カバー部材の複数の分割部分を切断する工程を更に含む、
支柱の設置構造の施工方法。
【発明の詳細な説明】
【技術分野】
【０００１】
本発明は、支柱の設置構造及びその施工方法に関する。
【背景技術】
【０００２】
従来、デッキの貫通穴に独立型のテラスの柱を貫通させた状態で、柱が立設される支柱の設置構造が知られている（例えば、特許文献１参照）。
特許文献１に記載の支柱の設置構造においては、デッキの貫通穴において、デッキと柱との間の隙間には、デッキ側に固定されたデッキ側カバーの一部と、柱側に固定された柱側カバーの一部とを、重ねた状態で配置されている。これにより、デッキと柱との間の隙間を塞ぐように構成されている。
【先行技術文献】
【特許文献】
【０００３】
【特許文献１】特開２０１７−１６６２４６号公報
【発明の概要】
【発明が解決しようとする課題】
【０００４】
デッキの貫通穴に柱が貫通して配置された構造において、デッキと柱との間の隙間を簡易な構成で塞ぐことができることが望まれている。
【０００５】
本発明は、簡易な構成で、デッキと柱との間の隙間を塞ぐことができる支柱の設置構造及びその施工方法を提供することを目的とする。
【課題を解決するための手段】
【０００６】
本発明は、デッキ（例えば、後述のデッキ６）の貫通穴（例えば、後述の貫通穴６５）に貫通して配置された支柱（例えば、後述の支柱２）を備える支柱の設置構造（例えば、後述の支柱の設置構造６０）であって、前記支柱と前記デッキとの間の隙間（例えば、後述の隙間Ｓ）を塞ぐように配置され、前記デッキには固定されずに、前記支柱に固定されるカバー部材（例えば、後述の隙間塞ぎカバー部材７）と、を備える支柱の設置構造に関する。
【０００７】
また、前記カバー部材は、複数の分割部分（例えば、後述の分割カバー部７１）から構成され、前記複数の分割部分の一部分同士を重ね合わせて嵌合することで作製可能であることが好ましい。
【０００８】
また、前記カバー部材は、２つの分割部分から構成され、前記２つの分割部分は、対称形状に形成されることが好ましい。
【０００９】
また、前記カバー部材は、２つの分割部分から構成され、前記２つの分割部分は、平面視でコ字状又はＬ字状に形成されることが好ましい。
【００１０】
また、前記カバー部材は、複数の分割部分から構成され、前記複数の分割部分は、切断可能に構成され、前記支柱の外形の大きさに合わせて切断して組み合わせることで前記カバー部材を作製可能であることが好ましい。
【００１１】
また、前記分割部分を切断する部分には切断用の目印（例えば、後述の切断用矢印表示Ｍ１，Ｍ２）が設けられることが好ましい。
【００１２】
また、前記カバー部材の下面には、前記カバー部材と前記デッキとの間に配置される緩衝材（例えば、後述の緩衝材７５）が取り付けられることが好ましい。
【００１３】
また、前記支柱の設置構造の施工方法であって、前記支柱が前記デッキの貫通穴に挿入された状態において、前記カバー部材を前記デッキに対して位置決めする工程と、前記デッキに対して位置決めした前記カバー部材を前記支柱に固定する工程と、を含む支柱の設置構造の施工方法に関する。
【００１４】
また、前記支柱の設置構造の施工方法であって、前記位置決めする工程の前に、前記カバー部材の大きさを前記支柱の外形の大きさに合わせるために前記カバー部材の複数の分割部分を切断する工程を更に含むことが好ましい。
【発明の効果】
【００１５】
本発明によれば、簡易な構成で、デッキと柱との間の隙間を塞ぐことができる支柱の設置構造及びその施工方法を提供することができる。
【図面の簡単な説明】
【００１６】
【図１】本発明の一実施形態に係るデッキに配置されたテラスを斜め上方側から見た斜視図である。
【図２】支柱の設置構造を上方側から見た斜視図である。
【図３】支柱の設置構造を下方側から見た斜視図である。
【図４】図２のＡ−Ａ線断面図である。
【図５】支柱の設置構造の縦断面図である。
【図６】隙間塞ぎカバー部材を支柱に取り付ける状態を示す図である。
【図７】隙間塞ぎカバー部材を裏面側から見た斜視図である。
【図８】隙間塞ぎカバー部材の裏面から緩衝材を外した状態を示す斜視図である。
【図９】（ａ）は図２のＢ−Ｂ線断面図であり、（ｂ）は図２のＣ−Ｃ線断面図である。
【図１０】（ａ）は、第１変形形態の支柱の横断面図であり、（ｂ）は第２変形形態の支柱の横断面図である。
【図１１】隙間塞ぎカバー部材の分割カバー部の切断する部分を説明する図であり、（ａ）は上方側から見た図であり、（ｂ）は下方側から見た図である。
【図１２】（ａ）は隙間塞ぎカバー部材の分割カバー部の切断する部分の拡大斜視図であり、（ｂ）は（ａ）のＤ−Ｄ線断面図であり、（ｃ）は（ａ）のＥ−Ｅ線断面図である。
【図１３】（ａ）は、隙間塞ぎカバー部材の分割カバー部を切断しないで使用した場合の図であり、（ｂ）は第１切断予定ラインで切断した分割カバー部を使用した場合の図であり、（ｃ）は第２切断予定ラインで切断した分割カバー部７１を使用した場合の図である。
【図１４】支柱の設置構造を組み立てる手順を示す図であって、支柱の周囲にデッキを設置する手順を示す図である。
【図１５】支柱の設置構造を組み立てる手順を示す図であって、隙間塞ぎカバー部材を取付位置に仮配置した状態で、支柱側ネジ孔を形成するために、支柱にマーキングを記す状態を示す図である。
【図１６】支柱の設置構造を組み立てる手順を示す図であって、（ａ）は、取付位置に仮配置した隙間塞ぎカバー部材を上方側に移動させて、マーキングを利用して支柱側ネジ孔を形成する状態を示す図であり、（ｂ）は、隙間塞ぎカバー部材を取付位置に戻して本固定する状態を示す図である。
【発明を実施するための形態】
【００１７】
以下、本発明の支柱の設置構造６０を備えたデッキテラス構造体１００の一実施形態について、図面を参照しながら説明する。図１は、本発明の一実施形態に係るデッキテラス構造体１００を斜め上方側から見た斜視図である。
【００１８】
デッキテラス構造体１００は、図１に示すように、デッキ６と、屋根構造体としてのテラス１と、を備える。本実施形態においては、屋根構造体をテラス１に適用した例について説明する。なお、本実施形態においては、屋根構造体をテラス１に適用した例について説明するが、これに限定されない。例えば、屋根構造体を、テラス以外の構造物、例えば、シェルター、休憩所、バス停などの構造物に適用してもよい。
【００１９】
なお、本実施形態の説明においては、テラス１の屋根体４を構成する複数の長尺形材（長尺材）４１が延びる方向を左右方向（長尺形材４１の長手方向）ともいう。また、梁３が延びる方向を前後方向Ｙともいい、梁３が延びる方向において、支柱２側を、テラス１の基端側ともいい、支柱２と反対側を、テラス１の先端側ともいう。
【００２０】
デッキ６は、躯体１０のテラス窓の外側の庭などに設置されている。
デッキ６は、図１に示すように、デッキ本体６１と、デッキ本体６１を支持する複数の束柱６２と、を備える。デッキ本体６１は、躯体１０の外部に張り出して設けられた床として構成される。デッキ本体６１は、複数の床板材６１１と、デッキ幕板６１２と、を備える。複数の束柱６２は、それぞれ、基礎石６３から立設して配置される。テラス１の支柱２が配置される部分は、デッキ６の床板材６１１の一部が方形状に切り欠かれることで、方形状の貫通穴６５（図５及び図６参照）が形成されている。
【００２１】
テラス１は、図１に示すように、デッキ６が設置された部分に配置されている。
テラス１は、屋根体４を前後方向Ｙの基端側（図１における左手前側）において一対の支柱２で支持する、いわゆる、片持ち構造のテラスである。また、本実施形態のテラス１は、支柱２に接続された梁３の下部（下方）に、屋根体４が吊られて接続される吊構造で構成される。
また、テラス１は、屋根体４の先端が、建物壁面や建物開口を有する躯体１０から離間して、躯体１０に対向して配置される独立型のテラスである。屋根体４と躯体１０との間の隙間は、隙間塞ぎユニット５により塞がれている。
【００２２】
テラス１は、一対の支柱２と、支柱２の上端部から支柱２に交差する方向に延びる梁３と、梁３の下部に接続される屋根体４と、隙間塞ぎユニット５と、を備える。支柱２、梁３、及び屋根体４を構成する複数の長尺形材４１は、アルミ材料の押出し形材で形成され、断面が中空状の中空部を有するホロー構造を有する。
【００２３】
一対の支柱２は、図１に示すように、テラス１の基端側（図１における左手前側）において、テラス１の左右方向に離間して配置される。
【００２４】
次に、本発明に係る支柱２の設置構造６０について説明する。
図２は、支柱２の設置構造６０を上方側から見た斜視図である。図３は、支柱２の設置構造６０を下方側から見た斜視図である。図４は、図２のＡ−Ａ線断面図である。図５は、支柱２の設置構造６０の縦断面図である。図６は、隙間塞ぎカバー部材７を支柱２に取り付ける状態を示す図である。図７は、隙間塞ぎカバー部材７を裏面側から見た斜視図である。図８は、隙間塞ぎカバー部材７の裏面から緩衝材７５を外した状態を示す斜視図である。図９は、（ａ）は図２のＢ−Ｂ線断面図であり、（ｂ）は図２のＣ−Ｃ線断面図である。
【００２５】
本発明に係る支柱２の設置構造６０は、図２〜図８に示すように、支柱２と、デッキ６と、隙間塞ぎカバー部材７（カバー部材）と、緩衝材７５と、を備える。
支柱２は、図２及び図３に示すように、デッキ６の下方に配置される基礎石１１から立設して配置されている。支柱２が配置される部分において、図５及び図６に示すように、デッキ６の複数の床板材６１１の一部が方形状に切り欠かれて形成された貫通穴６５が形成されている。支柱２は、図５及び図６に示すように、デッキ６の貫通穴６５に貫通されて配置されている。
【００２６】
支柱２は、図１及び図４に示すように、横断面が角筒状に形成される中空状の支柱本体部２１と、支柱本体部２１の屋根体４側の側壁２５（図４参照）から屋根体４側に突出すると共に上下方向に延びる一対のカバー取付壁２２と、を有する。一対のカバー取付壁２２には、支柱カバー部材２３が取り付けられる。支柱２の上端部には、支柱２の上端部の開口を覆うように、支柱キャップ２４が配置される。
支柱本体部２１の屋根体４側の側壁２５と、一対のカバー取付壁２２と、支柱カバー部材２３とにより囲まれる部分は、例えば、屋根照明用の電源ケーブルが配置される。
なお、図４に示す支柱２の内部には、ホロー形状の補強用の補強形材が配置されている。支柱２の内部に配置される補強形材は、主に、支柱２が長い場合に使用される。そのため、支柱２に補強形材を使用しなくてもよい。
【００２７】
支柱２は、図２、図３及び図５に示すように、デッキ６に固定されておらず、デッキ６の上面に隙間塞ぎカバー部材７が配置された状態で、支柱２の側面には、隙間塞ぎカバー部材７が固定されている。隙間塞ぎカバー部材７は、デッキ６には固定されていない。
また、支柱２は、デッキ６の下方側において、Ｌ字状の支持板金６６が固定されている。支持板金６６は、デッキ６には固定されていない。支持板金６６は、上面板６６１と、側面板６６２と、を有し、側面板６６２において、支柱２の側面に固定され、上面板６６１において、デッキ６を下方から支持する。なお、本実施形態においては、デッキ６を下方から支持板金６６により支持するように構成したが、これに限定されない。例えば、デッキ６の床板材６１１を支持する大引が近傍に配置されている場合などには、支持板金６６を使用しなくてもよい。また、デッキがタイルデッキで構成される場合には、支持板金６６は不要である。
【００２８】
隙間塞ぎカバー部材７は、デッキ６の上面において、支柱２の外面を周方向に囲む方形環状に形成される。隙間塞ぎカバー部材７は、支柱２とデッキ６との間の隙間Ｓを塞ぐようにデッキ６の上面に沿って配置され、デッキ６には固定されずに、支柱２に固定される。
【００２９】
隙間塞ぎカバー部材７は、図６に示すように、２つの分割カバー部７１が組み合わされて方形環状に構成される。分割カバー部７１は、図４に示すように、平面視で、一方の開放端側の辺の長さと他方の開放端側の辺の長さとが異なるコ字形状に形成される。２つの分割カバー部７１は、対称形状に形成され、同一形状で構成される。２つの分割カバー部７１の互いの形状は、平面視で１８０°回転させることで一致する。そのため、同じ形状の分割カバー部７１を組み合わせることで、隙間塞ぎカバー部材７を構成できる。２つの分割カバー部７１の互いの開放端部側の一部同士を重ね合わせて嵌合することで、隙間塞ぎカバー部材７を作製可能である。
【００３０】
分割カバー部７１は、図４に示すように、平面視コ字状のコ字状底面板７２と、コ字状底面板７２の内縁から立ち上がる平面視コ字状の立設板７３と、を有する。
【００３１】
コ字状底面板７２は、長尺側底面延在板７２１と、閉鎖側底面延在板７２２と、短尺側底面延在板７２３と、を有する。閉鎖側底面延在板７２２は、コ字状底面板７２のコ字状の閉じた部分に配置され、長尺側底面延在板７２１及び閉鎖側底面延在板７２２は、閉鎖側底面延在板７２２の端部から、閉鎖側底面延在板７２２に直交して延びる。長尺側底面延在板７２１の長さは、短尺側底面延在板７２３の長さよりも長く形成される。
【００３２】
長尺側底面延在板７２１は、図４に示すように、支柱２の外形の第１角部２０１の外側の部分から、一方側の長辺２１１に沿って延び、一方側の長辺２１１の途中まで延びる。長尺側底面延在板７２１は、第１角部２０１から支柱２の長辺２１１の半分の長さよりも長く形成される。
【００３３】
閉鎖側底面延在板７２２は、支柱２の外形の第１角部２０１の外側の部分において、長尺側底面延在板７２１の端部に接続される。閉鎖側底面延在板７２２は、長尺側底面延在板７２１に接続される第１角部２０１の外側の部分から、長尺側底面延在板７２１に直交して延び、支柱２の短辺２１２に沿って第２角部２０２の外側の部分まで延びる。
【００３４】
短尺側底面延在板７２３は、支柱２の外形の第２角部２０２の外側の部分において、閉鎖側底面延在板７２２の端部に接続される。短尺側底面延在板７２３は、閉鎖側底面延在板７２２に接続される第２角部２０２の外側の部分から、閉鎖側底面延在板７２２に直交して延び、支柱２の他方側の長辺２１１に沿って延び、他方側の長辺２１１の途中まで延びる。閉鎖側底面延在板７２２は、他方側の長辺２１１の半分の長さよりも短く形成される。閉鎖側底面延在板７２２は、長尺側底面延在板７２１の長さよりも短く形成される。
【００３５】
立設板７３は、第１立設延在板７３１と、第２立設延在板７３２と、第３立設延在板７３３と、を有する。
第１立設延在板７３１は、長尺側底面延在板７２１の内縁から立ち上がる。
第２立設延在板７３２は、閉鎖側底面延在板７２２の内縁から立ち上がる。
第３立設延在板７３３は、短尺側底面延在板７２３の内縁から立ち上がる。
【００３６】
第１立設延在板７３１には、図６に示すように、ネジ用貫通孔７３１ａが形成される。ネジ用貫通孔７３１ａは、分割カバー部７１の開放端である第１開放端部８１寄りに形成される。ネジ用貫通孔７３１ａは、２つの分割カバー部７１が組み合わされた場合に、支柱２の側面の前後方向Ｙの略中央に形成される。ネジ用貫通孔７３１ａは、第１立設延在板７３１の厚さ方向に貫通して形成され、分割カバー部７１を支柱２に固定する際に、ネジ部材７３１ｂが挿入される。分割カバー部７１をネジ部材７３１ｂにより支柱２に固定する場合に、ネジ用貫通孔７３１ａにネジ部材７３１ｂを挿入して、支柱２の側面にネジ込むことで、分割カバー部７１を、支柱２に固定できる。
【００３７】
分割カバー部７１は、長尺側底面延在板７２１及び第１立設延在板７３１の開放端により形成される第１開放端部８１と、短尺側底面延在板７２３及び第３立設延在板７３３の開放端により形成される第２開放端部８２と、を有する。
図６及び図８に示すように、第１開放端部８１には、第１嵌合部８１０が形成され、第２開放端部８２には、第２嵌合部８２０が形成される。
【００３８】
２つの分割カバー部７１が組み合わされる場合には、一方の分割カバー部７１の第１開放端部８１に形成される第１嵌合部８１０は、他方の分割カバー部７１の第２開放端部８２に形成される第２嵌合部８２０に接続され、一方の分割カバー部７１の第２開放端部８２に形成される第２嵌合部８２０は、他方の分割カバー部７１の第１開放端部８１に形成される第１嵌合部８１０に接続される。
【００３９】
第１嵌合部８１０は、図６及び図８に示すように、第１底面側嵌合部８１１と、第１立設側嵌合部８１２と、を有する。
第１底面側嵌合部８１１は、長尺側底面延在板７２１の第１開放端部８１の裏面において平面状に窪む第１底面側窪み平面部８１１ａと、第１底面側窪み平面部８１１ａにおける開放端縁と反対側に形成され三角形状に突出する第１底面側三角状凸部８１１ｂと、を有する。
第１立設側嵌合部８１２は、第１立設延在板７３１の第１開放端部８１の内面において平面状に窪む第１立設窪み平面部８１２ａと、第１立設窪み平面部８１２ａにおける開放端縁と反対側に形成され第１立設窪み平面部８１２ａから三角形状に窪む第１立設側三角状凹部８１２ｂと、を有する。
【００４０】
第２嵌合部８２０は、図６及び図８に示すように、第２底面側嵌合部８２１と、第２立設側嵌合部８２２と、を有する。
第２底面側嵌合部８２１は、短尺側底面延在板７２３の第２開放端部の表面において平面状に窪む第２底面側窪み平面部８２１ａと、第２底面側窪み平面部８２１ａにおける開放端縁に形成され第２底面側窪み平面部８２１ａから三角形状に突出する第２底面側三角状凸部８２１ｂと、を有する。
第２立設側嵌合部８２２は、第３立設延在板７３３の第２開放端部の内面において平面状に窪む第２立設窪み平面部８２２ａと、第２立設窪み平面部８２２ａにおける開放端縁に形成され第２立設窪み平面部８２２ａから三角形状に突出する第２立設側三角状凸部８２２ｂと、を有する。
【００４１】
２つの分割カバー部７１を組み合せる場合には、第１開放端部８１と第２開放端部８２とを突き合わせることで、第１開放端部８１の第１嵌合部８１０と第２開放端部８２の第２嵌合部８２０とが嵌合することで、組み合わされる。
【００４２】
２つの分割カバー部７１の組み合わせ状態において、コ字状底面板７２においては、一方の分割カバー部７１の第２嵌合部８２０の第２底面側三角状凸部８２１ｂが、他方の分割カバー部７１の第１嵌合部８１０の第１底面側窪み平面部８１１ａに沿って移動されて、図９（ａ）に示すように、他方の第１嵌合部８１０の第１底面側三角状凸部８１１ｂに、嵌り込む。この状態においては、第１底面側窪み平面部８１１ａと第２底面側窪み平面部８２１ａとが対向して重ね合わされると共に、２つの分割カバー部７１の上面が同一面上に配置された状態で、嵌合する。
同時に、立設板７３においては、一方の分割カバー部７１の第２嵌合部８２０の第２立設側三角状凸部８２２ｂが、他方の分割カバー部７１の第１嵌合部８１０の第１立設側窪み平面部８１２ａに沿って移動されて、図９（ｂ）に示すように、他方の第１嵌合部８１０の第１立設側三角状凹部８１２ｂに、嵌り込む。この状態においては、第１立設側窪み平面部８１２ａと第２立設側窪み平面部８２２ａとが対向して重ね合されると共に、２つの分割カバー部７１の外面が同一面上に配置された状態で、嵌合する。
【００４３】
緩衝材７５は、図８に示すように、分割カバー部７１を下面側から見た場合に、コ字状に形成され、分割カバー部７１の下面に形成されるコ字状の溝７４に取り付けられる。緩衝材７５は、隙間塞ぎカバー部材７が支柱２に固定されることで、隙間塞ぎカバー部材７とデッキ６との間に配置される。緩衝材７５は、例えば、Ｌ字状の部材を適宜切断して組み合わせることで、分割カバー部７１の裏面に形成される溝７４に配置できる形状に加工できる。
【００４４】
次に、隙間塞ぎカバー部材７Ａ，７Ｂ、７Ｃを支柱２，２Ａ，２Ｂの前後方向Ｙの長さに応じた大きさに加工できる構成について説明する。本発明の隙間塞ぎカバー部材７Ａ、７Ｂ、７Ｃは、支柱２、２Ａ、２Ｂの前後方向Ｙの長さに応じて、分割カバー部７１を切断することで、支柱２，２Ａ、２Ｂの前後方向Ｙの長さに応じた大きさに加工することができる。
【００４５】
図１０（ａ）は、第１変形形態の支柱２Ａの横断面図であり、図１０（ｂ）は第２変形形態の支柱２Ｂの横断面図である。図１１は、隙間塞ぎカバー部材７Ａの分割カバー部７１Ａの切断する部分を説明する図であり、（ａ）は上方側から見た図であり、（ｂ）は下方側から見た図である。図１２（ａ）は隙間塞ぎカバー部材７Ａの分割カバー部７１Ａの切断する部分の拡大斜視図であり、図１２（ｂ）は（ａ）のＤ−Ｄ線断面図であり、図１２（ｃ）は（ａ）のＥ−Ｅ線断面図である。図１３（ａ）は、隙間塞ぎカバー部材７Ａの分割カバー部７１Ａを切断しないで使用した場合の図であり、図１３（ｂ）は第１切断予定ラインＬ１で切断した分割カバー部７１Ｂを使用した場合の図であり、図１３（ｃ）は第２切断予定ラインＬ２で切断した分割カバー部７１Ｃを使用した場合の図である。
【００４６】
例えば、図４に示す支柱２に代えて、図１０（ａ）に示す支柱２Ａ、又は図１０（ｂ）に示す支柱２Ｂを使用したい場合がある。
図１０（ａ）に示す第１変形形態の支柱２Ａは、図４に示す支柱２と比べて、支柱カバー部材２３の前後方向Ｙの一方側の端部に、例えば、拡大枠２６が設けられている。そのため、図１０（ａ）に示す支柱２Ａの前後方向Ｙの長さＹａは、図４に示す支柱２の前後方向Ｙの長さＹ１よりも長い（Ｙａ＞Ｙ１）。
また、図１０（ｂ）に示す第２変形形態の支柱２Ｂは、支柱カバー部材２３の前後方向Ｙの一方側の端部に、図１０（ａ）に示す支柱２Ａの拡大枠２６よりも大きなカメラや照明の配線用の拡大枠２７が設けられている。そのため、図１０（ｂ）に示す支柱２Ｂの前後方向Ｙの長さＹｂは。図１０（ａ）に示す支柱２Ａの前後方向Ｙの長さＹａよりも長い（Ｙｂ＞Ｙａ）。
本実施形態においては、前後方向Ｙの長さが異なる支柱２、２Ａ、２Ｂについて、支柱２、２Ａ、２Ｂの前後方向Ｙの長さＹ１，Ｙａ，Ｙｂは、例えば、短い方から長い方に順に、図４に示す支柱２、図１０（ａ）に示す支柱２Ａ、及び図１０（ｂ）に示す支柱２Ｂである（Ｙ１＜Ｙａ＜Ｙｂ）。
【００４７】
ここで、２つの分割カバー部７１Ａは、切断可能に構成され、支柱２の外形の大きさに合わせて切断して組み合わせることで、隙間塞ぎカバー部材７Ａを作製可能である。隙間塞ぎカバー部材７Ａの分割カバー部７１Ａは、図１１に示すように、第１開放端部８１側の端部の長さを切断により調整できるように構成されている。本実施形態においては、分割カバー部７１Ａには、分割カバー部７１Ａの第１開放端部８１側の端部から、所定間隔を空けて、例えば、第１切断予定ラインＬ１及び第２切断予定ラインＬ２がこの順で形成されている。
【００４８】
図１２に示すように、第１切断予定ラインＬ１及び第２切断予定ラインＬ２は、支柱２、２Ａ、２Ｂの前後方向Ｙの長さの違いに対応した位置に形成される。
第１切断予定ラインＬ１は、分割カバー部７１の第１開放端部８１から第１距離Ｌａの位置に形成されている。
第２切断予定ラインＬ２は、分割カバー部７１の第１開放端部８１から第２距離Ｌｂ（＞第１距離Ｌａ）の位置に形成されている。
【００４９】
第１切断予定ラインＬ１及び第２切断予定ラインＬ２は、図１２（ａ）に示すように、コ字状底面板７２の裏面及び立設板７３の内面から窪むＶ字状のＶ字溝８３を含んで形成される。Ｖ字溝８３は、図１２（ｂ）及び（ｃ）に示すように、コ字状底面板７２の裏面及び立設板７３の内面に対して垂直な垂直部８３１と、コ字状底面板７２の裏面及び立設板７３の内面に対して傾斜する傾斜部８３２とにより、Ｖ字の溝状に形成される。Ｖ字溝８３は、コ字状底面板７２の裏面と立設板７３の内面において、分割カバー部７１が延びる方向に直交して形成され、コ字状底面板７２の裏面と立設板７３の内面とに跨ったＬ字状に延びる。
【００５０】
立設板７３の内面には、切断用矢印表示Ｍ１、Ｍ２（切断用の目印）が表示されている。
第１切断用矢印表示Ｍ１は、第１切断予定ラインＬ１において切断する際の目印となる表示であり、第１切断予定ラインＬ１において切断する場合に、第１切断用矢印表示Ｍ１の矢印の基端の位置において切断可能であることを示している。
第２切断用矢印表示Ｍ２は、第２切断予定ラインＬ２において切断する際の目印となる表示であり、第２切断予定ラインＬ２において切断する場合に、第２切断用矢印表示Ｍ２の矢印の基端の位置において切断可能であることを示している。
【００５１】
ここで、分割カバー部７１Ａを切断しない場合においても、第１切断予定ラインＬ１において切断した場合においても、第２切断予定ラインＬ２において切断した場合においても、第１開放端部８１には、第１嵌合部８１０が形成されている。これにより、分割カバー部７１Ａの切断後においても、第１嵌合部８１０と第２嵌合部８２０とを嵌合させることで、２つの分割カバー部７１Ａを嵌合により組み合わせることができる。
【００５２】
例えば、図１０（ｂ）に示す支柱２Ｂ（前後方向Ｙの長さが最も長い長さＹｂの支柱）に隙間塞ぎカバー部材７Ａを取り付ける場合には、図１１に示す分割カバー部７１Ａを切断せずに使用して、図１３（ａ）に示すように、２つの分割カバー部７１Ａを嵌合により組み合わせることで、隙間塞ぎカバー部材７Ａを組み立てることができる。
また、図１０（ａ）に示す支柱Ａ（前後方向Ｙの長さが支柱２と支柱２Ｂとの間の長さＹａの支柱）に隙間塞ぎカバー部材７Ｂを取り付ける場合には、図１１に示す分割カバー部７１Ａを第１切断予定ラインＬ１において切断して、図１３（ｂ）に示すように、分割カバー部７１Ｂに加工する。そして、２つの分割カバー部７１Ｂを嵌合により組み合わせることで、隙間塞ぎカバー部材７Ｂを組み立てることができる。
また、図４に示す支柱２（前後方向Ｙの長さが最も短い長さＹ１の支柱）に隙間塞ぎカバー部材７Ｃを取り付ける場合には、図１１に示す分割カバー部７１Ａを第２切断予定ラインＬ２において切断して、図１３（ｃ）に示すように、分割カバー部７１Ｃに加工する。そして、２つの分割カバー部７１Ｃを嵌合により組み合わせることで、隙間塞ぎカバー部材７Ｃを組み立てることができる。
【００５３】
次に、支柱２の設置構造６０を組み立てる手順について説明する。
図１４は、支柱２の設置構造６０を組み立てる手順を示す図であって、支柱２の周囲にデッキ６を設置する手順を示す図である。図１５は、支柱２の設置構造６０を組み立てる手順を示す図であって、隙間塞ぎカバー部材７を取付位置に仮配置した状態で、支柱側ネジ孔２８を形成するために、支柱２にマーキングを記す状態を示す図である。図１６は、支柱２の設置構造６０を組み立てる手順を示す図であって、（ａ）は、取付位置に仮配置した隙間塞ぎカバー部材７を上方側に移動させて、マーキングを利用して支柱側ネジ孔２８を形成する状態を示す図であり、（ｂ）は、隙間塞ぎカバー部材７を取付位置に戻して本固定する状態を示す図である。
【００５４】
まず、図１４に示すように、基礎石１１に立設して配置した支柱２に、Ｌ字状の支持板金６６を固定し、Ｌ字状の支持板金６６の上面板６６１に、貫通穴６５が形成された床板材６１１を配置する。また、他の床板材６１１を配置する。
【００５５】
次に、図１５（ａ）に示すように、２つの分割カバー部７１を嵌合により組み合わせて、支柱２とデッキ６の貫通穴６５との間の隙間Ｓを覆うように、隙間塞ぎカバー部材７を配置する。ここで、支柱２の前後方向Ｙの長さに応じて、隙間塞ぎカバー部材７の大きさを支柱２の外形の大きさに合わせるために分割カバー部７１を切断して（切断する工程）、切断した２つの分割カバー部７１を嵌合により組み合わせることで、隙間塞ぎカバー部材７を構成してもよい。
【００５６】
２つの分割カバー部７１を組み合わせて、支柱２とデッキ６の貫通穴６５との間の隙間Ｓを覆うように配置する場合には、２つの分割カバー部７１を支柱２の両側の側方から支柱２を挟むように移動させることで、第１嵌合部８１０と第２嵌合部８２０とを嵌合させることで組み合わせる。この状態においては、２つの分割カバー部７１を組み合わせて構成した隙間塞ぎカバー部材７は、上下方向に移動可能な状態である。
【００５７】
そして、図１５（ｂ）に示すように、隙間塞ぎカバー部材７をデッキ６の上面に載置することで、隙間塞ぎカバー部材７をデッキ６に対して位置決め（位置決めする工程）して仮配置する。このように、デッキ６の上面に配置するだけで、隙間塞ぎカバー部材７の上下方向の位置決めをすることができる。よって、隙間塞ぎカバー部材７の位置決めを容易に行うことができる。この状態において、隙間塞ぎカバー部材７のネジ用貫通孔７３１ａを用いて、支柱２の側面に、支柱側ネジ孔２８（図１６（ａ）参照）を形成するためのマーキングを行う。
【００５８】
次に、図１６（ａ）に示すように、隙間塞ぎカバー部材７を上方側に一旦移動させて、支柱２におけるマーキングした箇所に支柱側ネジ孔２８を形成する。
その後、図１６（ｂ）に示すように、隙間塞ぎカバー部材７を取付位置に戻す。そして、分割カバー部７１の第１立設延在板７３１に形成されたネジ用貫通孔７３１ａにネジ部材７３１ｂを挿入して、分割カバー部７１を、１つのネジ部材７３１ｂにより支柱２に固定する（固定する工程）。本実施形態においては、２つの分割カバー部７１を用いているため、１つの分割カバー部７１において１つずつ、計２つのネジ部材７３１ｂにより固定する。ここで、２つの分割カバー部７１は、嵌合して組み合わされているため、隙間塞ぎカバー部材７が一体で構成されており、少ない数のネジ部材で固定できる。
【００５９】
以上説明した本実施形態の支柱２の設置構造６０によれば、以下のような効果を奏する。
本実施形態の支柱２の設置構造６０は、デッキ６の貫通穴６５に貫通して配置された支柱２を備え、支柱２とデッキ６との間の隙間Ｓを塞ぐように配置され、デッキ６には固定されずに、支柱２に固定される隙間塞ぎカバー部材７と、を備える。
【００６０】
そのため、支柱２に隙間塞ぎカバー部材７を固定したため、支柱２に揺れや撓みが生じて支柱２が動いた場合においても、隙間塞ぎカバー部材７は、支柱２の動きに追従して動くことができる。よって、支柱２が動いた場合においても、デッキ６が破損することを抑制できる。例えば、本実施形態においては、テラス１は、躯体１０から離間して配置される独立型のテラスである。このような場合には、テラス１を支持する支柱２は、下端部において基礎石１１に固定されているが、テラス１に揺れが生じて、揺れや撓みが生じる場合がある。このような場合に、本発明の支柱２の設置構造６０は効果的である。なお、本発明における隙間塞ぎカバー部材７が固定される支柱２は、独立型のテラスの支柱には限定されない。
【００６１】
また、隙間塞ぎカバー部材７を支柱２に固定したため、隙間塞ぎカバー部材７のサイズを、隙間Ｓ及びデッキ６の貫通穴６５の開口縁のみをカバーできる最小サイズに構成できる。具体的には、隙間塞ぎカバー部材７のコ字状底面板７２の幅を、支柱２の撓み量を考慮し且つ隙間Ｓを塞ぐことができる最小幅に設定することができる。これにより、隙間塞ぎカバー部材７をコンパクトに形成できる。
【００６２】
また、隙間塞ぎカバー部材７を支柱２に固定したため、デッキ６の材料などに依存せずに、取り付けることができる。例えば、デッキがタイルデッキで構成される場合に、隙間塞ぎカバー部材７を支柱２に固定することで、タイルに固定せずに、デッキ６と支柱２との間の隙間Ｓを塞ぐことができる。
【００６３】
また、本実施形態においては、隙間塞ぎカバー部材７は、複数の分割カバー部７１から構成され、複数の分割カバー部７１の一部分同士を重ね合わせて嵌合することで作製可能である。これにより、複数の分割カバー部７１を嵌合により固定できるため、ネジ部材の本数及び他の固定部品を最小限とすることができる。
【００６４】
また、本実施形態においては、隙間塞ぎカバー部材７は、２つの分割カバー部７１から構成され、２つの分割カバー部７１は、対称形状に形成される。これにより、２つの分割カバー部７１を同じ形状に構成し、同じ形状の分割カバー部７１を組み合わせることで、隙間塞ぎカバー部材７を構成できる。よって、複数種類の形状の分割カバー部７１を準備しなくてよいため、製造コストを低減できる。また、一方側及び他方側の分割カバー部の区別をしなくてよいため、隙間塞ぎカバー部材７を取り付ける作業性を向上できる。
【００６５】
また、本実施形態においては、隙間塞ぎカバー部材７は、２つの分割カバー部７１から構成され、２つの分割カバー部７１は、平面視でコ字状に形成される。これにより、支柱２を両側面から挟み込めるため、隙間塞ぎカバー部材７を容易に取り付けることができる。また、支柱２の両側面から挟み込むため、取付状態を強固にすることができる。
【００６６】
また、本実施形態においては、隙間塞ぎカバー部材７は、複数の分割カバー部７１から構成され、複数の分割カバー部７１は、切断可能に構成され、支柱２の外形の大きさに合わせて切断して組み合わせることで隙間塞ぎカバー部材７を作製可能である。これにより、分割カバー部７１を切断することで、前後方向Ｙの長さが異なる支柱２に対応して、隙間塞ぎカバー部材７の大きさを変更することができる。
また、施工時には、複数段階に切断可能な切断前の分割カバー部を準備しておき、支柱の前後方向の長さに応じて、施工現場で切断すればよい。これにより、分割カバー部の大きさの種類を少なくできるため、製造コストを低減できる。
【００６７】
また、本実施形態においては、分割カバー部７１を切断する部分には切断用矢印表示Ｍ１，Ｍ２が設けられる。これにより、分割カバー部７１を切断する箇所を容易に把握でき、分割カバー部７１を切断する作用性を向上できる。
【００６８】
また、本実施形態においては、隙間塞ぎカバー部材７の下面には、隙間塞ぎカバー部材７とデッキ６との間に配置される緩衝材７５が取り付けられる。そのため、デッキ６に対して支柱２が斜め方向に倒れてきても、緩衝材７５により、上下方向への荷重を吸収することができる。これにより、緩衝材７５が荷重を吸収できるため、デッキ６が破損することを低減できる。
【００６９】
また、本実施形態の支柱２の設置構造６０の施工方法は、支柱２がデッキ６の貫通穴６５に挿入された状態において、隙間塞ぎカバー部材７をデッキ６に対して位置決めする工程と、デッキ６に対して位置決めした隙間塞ぎカバー部材７を支柱２に固定する工程と、を含む。これにより、隙間塞ぎカバー部材７をデッキ６の上面に配置するだけで、隙間塞ぎカバー部材７をデッキ６に対して容易に位置決めすることができる。
【００７０】
また、本実施形態の支柱２の設置構造６０の施工方法は、位置決めする工程の前に、隙間塞ぎカバー部材７の大きさを支柱２の外形の大きさに合わせるために隙間塞ぎカバー部材７の複数の分割カバー部７１を切断する工程を更に含む。これにより、分割カバー部７１を切断することで、支柱２の大きさに対応することができる。また、隙間塞ぎカバー部材７が複数の分割カバー部７１から構成されるため、複数の分割カバー部７１により支柱２を挟み込んで固定でき、これにより、ネジ部材の本数及び他の固定部品を最小限とすることができる。
【００７１】
以上、本発明の支柱２の設置構造６０の好ましい一実施形態について説明したが、本発明は、上述した実施形態に制限されるものではなく、適宜変更が可能である。
例えば、デッキとしては、木材を使用したウッドデッキ、木粉を混ぜた樹脂材料により形成された人工木材を使用した人工木デッキ、タイルデッキなどのデッキ適用できる。
【００７２】
また、前記実施形態では、分割カバー部７１を、平面視で、一方の開放端側の辺の長さと他方の開放端側の辺の長さとが異なるコ字形状に形成したが、これに限定されず、一方の開放端側の辺の長さと他方の開放端側の辺の長さとが同じコ字形状に形成してもよい。
【００７３】
また、前記実施形態では、２つの分割カバー部７１は、平面視でコ字状に形成したが、これに限定されない。例えば、２つの分割カバー部をＬ字状に形成してもよい。
【００７４】
また、前記実施形態では、分割カバー部７１の第１開放端部８１及び第２開放端部８２を、分割カバー部７１が延びる方向に対して直交して延びる直線状に形成しがた、これに限定されない。例えば、分割カバー部７１の第１開放端部８１及び第２開放端部８２を、分割カバー部７１が延びる方向に対して傾斜して延びる直線状に形成してもよいし、互いが嵌合可能な凹凸形状に形成してもよい。
【符号の説明】
【００７５】
２  支柱
６  デッキ
７  隙間塞ぎカバー部材（カバー部材）
６０  支柱の設置構造
６５  貫通穴
７１  分割カバー部（分割部分）
７５  緩衝材
Ｓ  隙間
Ｍ１  第１切断用矢印表示（切断用の目印）
Ｍ２  第２切断用矢印表示（切断用の目印）
【図１】
2020084741.tif 000003
【図２】
2020084741.tif 000004
【図３】
2020084741.tif 000005
【図４】
2020084741.tif 000006
【図５】
2020084741.tif 000007
【図６】
2020084741.tif 000008
【図７】
2020084741.tif 000009
【図８】
2020084741.tif 000010
【図９】
2020084741.tif 000011
【図１０】
2020084741.tif 000012
【図１１】
2020084741.tif 000013
【図１２】
2020084741.tif 000014
【図１３】
2020084741.tif 000015
【図１４】
2020084741.tif 000016
【図１５】
2020084741.tif 000017
【図１６】
2020084741.tif 000018